(57)【特許請求の範囲】
【請求項１】
トラクタの後部にリフトアームによって駆動昇降されるリンク機構を介してロータリ耕耘装置を連結し、このロータリ耕耘装置に備えられたロータリカバーの後端部に、上下揺動可能に後カバーを連結し、前記後カバーの揺動変位に基づいて油圧制御機構を作動させてリフトアームを昇降制御するよう構成したトラクタの自動耕深制御装置において、
前記リフトアームの基部に前記リフトアームと一体揺動する作動アームを設け、かつ前記後カバーと前記油圧制御機構とをレリーズ式のセンサワイヤで連動連結するとともに、前記センサワイヤにおける前方のアウタ端部が前記リフトアームの上下揺動に連動してワイヤ作動方向に変位するように前記前方のアウタ端部を前記作動アームに支持させて、前記リフトアームの上下揺動に連動して前記後カバーと前記油圧制御機構との連係状態を変更する連係変更手段を構成して、同じ設定耕深に安定維持された時の前記後カバーの姿勢が、前記リフトアームが上方に揺動されているほど前記ロータリカバーに対して下方に揺動変位した姿勢となるように、前記リフトアームの上下揺動姿勢と前記後カバーの姿勢とを連係してあることを特徴とするトラクタの自動耕深制御装置。
【請求項２】
前記リンク機構を、前記ロータリ耕耘装置を一点回りに上下揺動自在に連結支持する２点リンク機構で構成してある請求項１記載のトラクタの自動耕深制御装置。
【発明の詳細な説明】
【技術分野】
【０００１】
本発明は、トラクタの後部にリフトアームによって駆動昇降されるリンク機構を介してロータリ耕耘装置を連結し、このロータリ耕耘装置に備えられたロータリカバーの後端部に、上下揺動可能に後カバーを連結し、後部カバーの揺動変位に基づいて油圧制御機構を作動させてリフトアームを昇降制御するよう構成したトラクタの自動耕深制御装置に関する。
【背景技術】
【０００２】
ロータリ耕耘装置は、一般に、３点リンク構造あるいは２点リンク構造のリンク機構を介して連結されるので、上昇させるほどロータリ耕耘装置は前方に傾斜することになる。このために、ロータリカバーに対して後カバーの揺動姿勢を設定角度に制御する上記自動耕深制御では、設定耕深が同じであってもリフトアームの揺動姿勢によって実際の耕深に差異が発生する。
【０００３】
例えば、図３に示すように、トラクタの後部に２点リンク構造のリンク機構２を介してロータリ耕耘装置３を連結した場合、同図（イ）に示すように、リフトアーム４が低い姿勢にある時に、ロータリカバー１８に対する後カバー１９の姿勢を所定の姿勢にするための耕深ｄ1と、同図（ロ）に示すように、リフトアーム４が高い姿勢にある時に、ロータ
リカバー１８に対する後カバー１９の姿勢を所定の姿勢にするための耕深ｄ2とを比べる
と、リフトアーム４が高い姿勢にあってロータリ耕耘装置３が前方に傾斜した時の耕深ｄ2の方が大きくなる。
【０００４】
従って、水分の多い圃場ではトラクタが沈下しやすいために、その沈下分だけロータリ耕耘装置は沈下の無い場合よりもトラクタに対して高い位置で使用されることになるので、上記理由から、同じ設定耕深に対する実際の耕深は沈下のある場合の方が沈下の無い場合よりも大きくなってしまう。また、水分の多い圃場では耕耘跡の土の盛り上がりが少なくて、土の盛り上がりによる後カバーの上方変位がもたらされ難いので、後カバーの上方揺動に基づく上昇制御が行われに難くなり、一層実耕深が大きくなる傾向がある。
【０００５】
そこで、後カバーを枢支連結したロータリカバーを、ローター軸心を中心に前後に回動調節可能に構成して、ロータリ耕耘装置全体の前後傾斜姿勢の変化にかかわらずロータリカバーを圃場に対して所定の姿勢に修正することで、上記不具合を解消することができるようにした手段が提案されている（例えば、特許文献１参照）。
【０００６】
【特許文献１】特開平８−２１４６１０号公報
【発明の開示】
【発明が解決しようとする課題】
【０００７】
特許文献１で示された上記手段によると、ロータリ耕耘装置がトラクタに対して高く持上げられて使用される場合に、ロータリ耕耘装置が前方に傾斜した分、ロータリカバーを後方に回動調節することで、ロータリカバーに対する後カバーの揺動姿勢を一定に維持するように昇降制御した際の実耕深を、ロータリ耕耘装置のトラクタに対する高さにかかわらず安定させることが可能となるのであるが、ロータリ耕耘装置の傾斜姿勢に応じてロータリカバーを手動で姿勢調節操作する必要があり、操作が煩わしいものになるとともに、調節量を間違えると所望の性能を発揮しなくなるものであった。また、ロータリカバーを前後に回動調節可能に装着する構造が必要になり、ロータリ耕耘装置自体のコストアップを招くことにもなる。
【０００８】
本発明は、このような点に着目してなされたものであって、ロータリ耕耘装置のトラクタに対する高さにかかわらず、同じ設定耕深に対する実耕深を安定させることができるようにすることを主たる目的としている。
【課題を解決するための手段】
【０００９】
第１の発明は、トラクタの後部にリフトアームによって駆動昇降されるリンク機構を介してロータリ耕耘装置を連結し、このロータリ耕耘装置に備えられたロータリカバーの後端部に、上下揺動可能に後カバーを連結し、前記後部カバーの揺動変位に基づいて油圧制御機構を作動させてリフトアームを昇降制御するよう構成したトラクタの自動耕深制御装置において、
前記リフトアームの基部に前記リフトアームと一体揺動する作動アームを設け、かつ前記後カバーと前記油圧制御機構とをレリーズ式のセンサワイヤで連動連結するとともに、前記センサワイヤにおける前方のアウタ端部が前記リフトアームの上下揺動に連動してワイヤ作動方向に変位するように前記前方のアウタ端部を前記作動アームに支持させて、前記リフトアームの上下揺動に連動して前記後カバーと前記油圧制御機構との連係状態を変更する連係変更手段を構成して、同じ設定耕深に安定維持された時の前記後カバーの姿勢が、前記リフトアームが上方に揺動されているほど前記ロータリカバーに対して下方に揺動変位した姿勢となるように、前記リフトアームの上下揺動姿勢と前記後カバーの姿勢とを連係してあることを特徴とする。
【００１０】
上記構成によると、リフトアームを上方に揺動させた状態、つまり、ロータリ耕耘装置がトラクタに対して高く持ち上げられて作業する時にはロータリ耕耘装置の姿勢が前方に傾斜するが、制御中立時における後カバーのロータリカバーに対する姿勢は、リフトアームを上方に揺動させない時の制御中立時における後カバーのロータリカバーに対する姿勢よりも下方に揺動した姿勢に自動修正されることになり、ロータリ耕耘装置の下端から後カバーの後端接地点までの高さ（実耕深）は、上記自動修正がなされない場合より小さいものとなる。つまり、ロータリ耕耘装置の前方傾斜に伴う耕深の増大が抑制されることになる。
【００１１】
従って、第１の発明によると、ロータリ耕耘装置のトラクタに対する高さにかかわらず、同じ設定耕深に対する実耕深を安定させることができるようになった。しかも、人為的な調整操作は不要であるので、調整忘れや調整間違いのおそれがなく、常に所望の自動耕深制御を良好に行うことができる。
【００１２】
【００１３】
上記構成によると、センサワイヤの構造を有効に活用して所期の自動調整を機械的に行うことができ、発明を好適に実施することができる。
【００１４】
【００１５】
上記構成によると、一般にはトラクタの適所にセンサワイヤにおける前方のアウタ端部を支持するワイヤ受け金具を固設する構造を、リフトアームと一体揺動する作動アームにセンサワイヤにおける前方のアウタ端部を支持する簡単な構造に変更するだけで、所期の自動調整を機械的に行うことができ、発明の特徴を一層顕著に発揮させることができる。
【００１６】
第２の発明は、上記第１の発明において、
前記リンク機構を、前記ロータリ耕耘装置を一点回りに上下揺動自在に連結支持する２点リンク構造で構成してあるものである。
【００１７】
上記構成によると、２点リンク構造のリンク機構を介してロータリ耕耘装置を支持すれば、リフトアームの上下揺動によってロータリ耕耘装置の前後方での傾斜向姿勢が大きく変化して、実耕深が変動しやすいので、本発明の効果を特に有効に発揮させることができる。
【発明を実施するための最良の形態】
【００１８】
図１に、ロータリ耕耘仕様に構成された農用トラクタの側面が示されている。この農用トラクタは、４輪走行するトラクタ本機１の後部にリンク機構２を介してロータリ耕耘装置３が連結され、トラクタ１の後部上方に配備された左右一対のリフトアーム４を内装されたリフトシリンダ５で上下に駆動揺動することで、ロータリ耕耘装置３を昇降することができるようになっている。
【００１９】
前記リンク機構２は、トタクタ１の後端に備えられたヒッチ６に、ロータリ耕耘装置３のロータリケース７から前方に突設された支持アーム８を横向きの支点Ｐ周りに一点で上下揺動可能に連結した２点リンク構造が採用されており、左右のリフトアーム４と支持アーム８とがそれぞれリフトロッド９で連結されている。
【００２０】
前記リフトシリンダ５は、圧油の供給によって伸長作動してリフトアーム４を駆動上昇させ、排油によって短縮作動してリフトアーム４を自重下降させる単動型油圧シリンダが利用されており、油圧制御機構１０に連通接続されている。
【００２１】
詳細な構造は省略するが、図２に示すように、前記油圧制御機構１０には機械式のポジション制御バルブ（図示せず）が含まれており、このポジション制御バルブにポジションレバー１２、および、オートレバー１３が連係されている。この油圧制御機構１０では、ロータリ耕耘装置３をポジションレバー１２で設定された高さにまで移動させるポジション制御と、ロータリ耕耘装置３をオートレバー１３で設定された設定耕深に安定維持する自動耕深制御を実行することが可能となっており、以下、各制御の概略を説明する。
【００２２】
「ポジション制御」
【００２３】
ポジション制御においては、オートレバー１３を前方の最深位置（オート切り）に操作保持した状態で、ポジションレバー１２を任意の高さ位置に操作保持する。ポジションレバー１２を後方（浅い）あるいは前方（深い）に操作すると、ポジション制御バルブが切換えられてリフトシリンダ５が上昇作動あるいは下降作動し、リフトアーム４の作動がフィードバックされてポジション制御バルブが中立側に復帰操作され、リフトアーム４がポジションレバー１２の操作位置に対応した高さに至るとポジション制御バルブが中立に復帰して昇降作動が停止する。つまり、この「ポジション制御」においては、ロータリ耕耘装置３をポジションレバー１２で設定された任意の高さに移動させて固定することができるのである。
【００２４】
「自動耕深制御」
【００２５】
自動耕深制御においては、オートレバー１３の操作によって基準となる設定耕深が設定されるとともに、ロータリ耕耘装置３の実耕深が機械的に検出され、検出された実耕深が設定耕深から外れると、これを是正する方向にポジション制御バルブを操作するように作動するものであり、ロータリ耕耘装置３の実耕深が以下のようにして機械的に検出される。
【００２６】
前記ロータリ耕耘装置３は、トラクタ１から取り出された作業用動力を受けるロータリケース７の下部に、ロータ軸１５に多数の耕耘爪１６を取付けてなる耕耘ロータ１７が装備されるとともに、この耕耘ロータ１７の上部を覆うロータリカバー１８がロータリケース７に固着され、かつ、ロータリカバー１８の後端部に後カバー１９が支点ｑ周りに上下揺動自在に連結された構造となっており、後カバー１９が押圧バネ２０によって下方に揺動付勢されて、耕起跡を適度な力で押圧して鎮圧整地するよう構成されている。
【００２７】
前記後カバー１９は、「自動耕深制御」における耕深検出用の接地センサとしての機能を備えており、ロータリカバー１８の上面に支点ｒ周りに揺動可能に装備された検知アーム２１の下端部と後カバー１９とがリンク２２を介して連動連結されるとともに、検知アーム２１の上端にレリーズワイヤを利用したセンサワイヤ２３のインナ後端が連結されている。
【００２８】
前記センサワイヤ２３のアウタ後端部２３ｒはロータリケース７の上部に備えたワイヤ受金具２４に固定支持されており、耕深が深くなって後カバー１９が上方に揺動するとセンサワイヤ２３のインナ後端が後方に引き出され、耕深が浅くなって後カバー１９が下方に揺動するとセンサワイヤ２３のインナ後端が前方に引き込まれるようになっている。つまり、実耕深の変化がセンサワイヤ２３におけるインナ変位として検知されて、前記油圧制御機構１０のセンサアーム２５に伝達されるようになっているのである。
【００２９】
自動耕深制御を実行するに際しては、ポジションレバー１２を最前方位置に切換え保持した状態で、オートレバー１３を任意の深さ位置に操作保持する。ここで、ポジションレバー１２はポジション制御バルブとの機械的な連係が断たれて昇降制御に無関係となる。
【００３０】
オートレバー１３を最深位置（オート切り）から後方に外れた任意の高さ位置に操作すると、その操作位置に対応して設定耕深が決められる。オートレバー１３を最深位置（オート切り）から後方に操作することで、前記センサアーム２５がポジション制御バルブに連係された状態となり、後カバー１９の揺動によって検出された実耕深がオートレバー１３で設定された設定耕深よりも深いと、センサワイヤ２３のインナ前部が後方に変位されることでセンアアーム２５上昇側に操作され、逆に、検出された実耕深が設定耕深よりも浅いと、センサワイヤ２３のインナ前部が前方に変位されることでセンサアーム２５が下降側に操作され、もって、実耕深が常に設定耕深（不感帯を含む）に安定維持されるのである。
【００３１】
ここで、前記センサワイヤ２３における前方のアウタ端部２３ｆは、リフトアーム４の姿勢に応じて自動的にワイヤ作動方向に位置調整されるようになっている。つまり、リフトアーム４の基部には、リフトアーム４と一体揺動する作動アーム２６が下方に向けて設けられ、この作動アーム２６の先端部にセンサワイヤ２３における前方のアウタ端部２３ｆが連結支持されている。
【００３２】
この構成において、オートレバー１３によって設定された設定耕深を同じとして、リフトアーム４を下げて自動耕深制御した場合と、リフトアーム４を上げて自動耕深制御した場合とを比較した状態が図２に示されている。
【００３３】
図２（ロ）に示すように、リフトアーム４が上方に揺動された状態、つまり、ロータリ耕耘装置３がトラクタ１に対して高く持ち上げられて作業する時には、ロータリ耕耘装置３の姿勢が前方に傾斜するが、リフトアーム４の上方揺動によってセンサワイヤ２３における前方のアウタ端部２３ｆが、図２（イ）に示されるリフトアーム下降時よりも後方に変位されており、このために、制御中立時における後カバー１９のロータリカバー１８に対する姿勢は、図２（イ）に示される場合の後カバー１９のロータリカバー１８に対する姿勢よりも下方に揺動した姿勢に自動修正されることになり、耕耘ロータ１７の下端から後カバー１９の後端接地点までの高さ（実耕深）ｄは、アウタ端部２３ｆが位置固定された場合〔図３（ロ）参照〕より小さいものとなる。つまり、リフトアーム４の高さが変わってロータリ耕耘装置３の前方傾斜が変化しても、同じ設定耕深に対応した実耕深ｄは略一定となるのである。
【００３４】
〔他の実施例〕
【００３５】
【００３６】
【００３７】
【００３８】
（１）前記リンク機構２にトップリンクとロアーリンクを備えた３点リンク構造を採用した仕様においても、リフトアーム４の揺動位置によってロータリ耕耘装置３の傾斜姿勢が変化して、２点リンク構造の場合と同様に、同じ設定耕深に対する実耕深が変化するので、本発明を適用すればリフトアーム４の高さにかかわらず同じ設定耕深に対する実耕深の変化を小さくすることができる。
【図面の簡単な説明】
【００３９】
【図１】農用トラクタの全体側面図
【図２】リフトアーム高さを異ならせた自動耕深制御状態を示す側面図
【図３】従来構造によるリフトアーム高さを異ならせた自動耕深制御状態を示す側面図
【符号の説明】
【００４０】
１              トラクタ
２              リンク機構
３              ロータリ耕耘装置
４              リフトアーム
１０            油圧制御機構
１８ ロータリカバー
１９ 後カバー
２３            センサワイヤ
２３ｆ          アウタ端部
２６            作動アーム
【図１】
0004605655.tif 000002
【図２】
0004605655.tif 000003
【図３】
0004605655.tif 000004